(57)【特許請求の範囲】
【請求項１】
人の背丈より高く、車椅子の幅より広い前枠と中枠と後枠の三枠の上下四隅を角管でつなぎ前枠の下隅からは前方にスロープの付いた角管を接続して車椅子で乗り上げできるようにし、床板を張って矢倉を構成し、4個の外輪溝付きリングを2本のアングル辺の間に挟み合わせたアングル構成材二組を肩幅の間隔で矢倉の上に固定し、後枠上の4個の外輪溝付きリングから下がる4本の天秤糸を上下に可動できる可動水槽に接続し、アングル構成材の最後部の外輪溝付きリングから下がる天秤糸で吊るす重しを可動水槽と同じ重さで連結しており、可動水槽を吊るす残りの天秤糸の2本をアングル構成材の最前部の外輪溝付きリングから下げて装着用具に接続し、装着用具を着けた被介護者を可動水槽と天秤糸でつなぎ、床に置いた固定水槽内の揚水ポンプから可動水槽内へ送水し、可動水槽内の水の重さで被介護者自身の足の力で立ち上がり屈伸運動のリハビリをし、その可動水槽内水は介護者が被介護者の両脇の下に手を入れて持ち上げる力に等しく、その可動水槽内の水で立った被介護者の両足は舌のような金属板を靴底に差し入れた二重底の靴を履いていて、この舌のような金属板は天秤平角棒の先端部分であり、二重底の靴を履いた両足先に2本の天秤平角棒を配置する、、又天秤平角棒のー端に載せる重しに隣接してリールが固定してあり、このリールから出る糸は中枠に配置した平角管に固定する滑車付きのボルトにからんでから膝関節に巻いたベルトに接続し、このリールを巻いて糸をきつく張り足首や膝が足踏みする時にくねらないようにし、―端には足を、他のー端には重しを載せて支点に支えられる天秤平角棒は滑車付きのボルトに両端を吊り下げられて患者の足の一部もつながり、患者自身の足の脚力と脚力を補助する重しの重さで膝関節を吊り上げ、足の裏を押し上げてシーソーのように両足で足踏みのリハビリができる足腰の筋力測定機。
【発明の詳細な説明】
【技術分野】
【０００１】
本発明は足腰の筋力の測定と足腰のリハビリ等に使用する。
【背景技術】
【０００２】
歩行の為に足を上げる筋力を測定し、その筋力がリハビリの効果で変化する状態をグラフに表してリハビリ治療を検討する資料が求められた。
【先行技術文献】
【特許文献】
【０００３】
【特許文献１】特願2009−187941
【発明の概要】
【発明が解決しようとする課題】
【０００４】
被介護者を可動水槽で吊り上げても足を上げる事ができなければリハビリの効果を上げる事ができず、足を上げる筋力の測定とリハビリによる測定グラフの変化で治療方法を検討する。
【課題を解決するための手段】
【０００５】
そして本発明は上記目的を達性するために、人の背丈より高く車椅子の幅より広い前枠と、中枠と、後枠の三枠の上下四隅を角管でつなぎ、前枠の下隅からは前方にスロープの付いた角管を接続して車椅子が乗り上げできるようにし、床板を張って矢倉を構成した、4個の外輪溝付きリングを2本のアングル辺の間に挟み合わせたアングル構成材2組を肩幅の間隔で矢倉の上に固定した。
【０００６】
後枠上の4個の外輪溝付きリングから下がる4本の天秤糸を上下に可動できる可動水槽に接続し、アングル構成材の後端部の滑車から天秤糸で吊るす重しは可動水槽と同じ重さで連結しており、可動水槽を吊るす残りの天秤糸の2本はアングル構成材の最前部の外輪溝付きリングから天秤糸で吊り下げる装着用具に接続してあり、この装着用具を着けた被介護者は可動水槽と天秤糸でつながる、床に置いた固定水槽内の揚水ポンプから可動水槽内へ送水して満たされる水の重さで被介護者は自身の足の力で立ち上がり自身の足の力で可動水槽を上下させて屈伸運動をする事ができる、その可動水槽内の水は介護者が被介護者の両脇の下に手を入れて持ち上げる力に等しく、その可動水槽内の水で立った被介護者の両足に舌のような金属板を靴底に差し入れた二重底の靴を履かせ、この舌のような金属板は天秤平角棒の先端部分であり、二重底の靴を履いた両足先に配置する2本の天秤平角棒のー端には足を載せ、他のー端には重しが載せてある。
【０００７】
中枠には胸の高さで平角管が中段として2本の柱をつなぐ、又両端に足と重しを載せた天秤平角棒のー端に載せる重しには隣接してリールが固定してあり、このリールから出る糸は平角管に取り付けた滑車付きのボルトにからんでから膝関節に巻いたベルトに接続してあり、このリールを巻いて糸をきつく張り足首や膝が足踏みする時にくねらないようにする、このシーソーのように作動する天秤平角棒の両端を中枠の中段に固定した滑車付きのボルトが糸で吊り下げ、重しの重さが足を上げる脚力を補助して天秤平角棒をシーソーのように動かし、重しの重さが膝関節を糸で吊り上げ足の裏を天秤平角棒のー端を押し上げ、重しの重さが足を上げる足の筋力を補助し、シーソーのように両足で足踏みのリハビリができる足腰の筋力測定機。
【発明の効果】
【０００８】
可動水槽内の水量の重さを測定する事で介護をする時に持ち上げる力を数字に残せる、又足の裏から膝関節までの足の重さと可動水槽内の水の重さをたして、その合計を全体重から引くと両足で立つ時の両足の筋力を測定する事ができる、股下までを温水に浸ける事で増加する体積でおおよその両足の重さを算定する事ができ、この算定値と平角棒の先端部分に載せる重しの重さのから両足双方の足を上げる筋力が計算できる、これらの数値がリハビリで変化するグラフを作成しリハビリ方法を計画しやすくした。
【図面の簡単な説明】
【０００９】
【図１】矢倉枠組み部材の斜視図
【図２】連結金物の斜視図と平面図
【図３】矢倉全体の斜視図
【図４】被介護者が吊り下げられた状態の正面図
【図５】被介護者が足踏みしている側面図
【図６】被介護者が足踏みしている側面図
【図７】中枠で柱をつなぐ中段の平角管に固定した滑車取り付け台と滑車の正面図
【図８】滑車の取り付け台の断面図と分解図と滑車の斜視図
【図９】矢倉枠組みを後方から見た正面図
【図１０】可動水槽の斜視図、可動水槽の上辺に固定した糸接続棒の拡大断面図
【図１１】二重底の靴と天秤平角棒の斜視図と分解した部品の斜視図
【図１２】床上の固定水槽の透視図と一部の部品を拡大した斜視図
【図１３】マグネット支点台の正面図と断面図
【図１４】糸接続部品の断面図
【発明を実施するための形態】
【００１０】
以下、本発明の実施の形態で図1〜14図を基にして説明する。
図においては、人の背丈より高く車椅子の幅より広い前枠XW、中枠YW、後枠ZWの三枠を立てて前後に並べ、これら枠組みの上下四隅から前後に出る連結金物MAとNAに平角管1Bと2Bと1Cと2Cを差し入れてボルトで固定し矢倉を構成した。
【００１１】
前枠XWの下隅から前方に出る連結金物MAにはスロープの付いた平角管1Aと1AAを差し入れてボルトで固定し、車椅子が乗り上げできるように矢倉の下に床板YYを設置し、その床板YYの中に鉄製の床板YGを1枚配置した。
【００１２】
4個の外輪溝付きリングSKと2SKと3SKと4SKを2本のアングルL辺で回転自在に挟み合わせて固定し二組のアングル構成材を作り、この二組のアングル構成材を肩幅の間隔で矢倉の上にボルトで固定した。
【００１３】
二組のアングル構成材に固定する4個の外輪溝付きりング2SKと3SKから下がる天秤糸1Hと2Hの4本は可動水槽VXを吊り下げており、アングル構成材の最後部に位置する外輪溝付きリング4SKが吊り下げる重しRWと、外輪溝付きリング3SKが吊り下げる空の可動水槽VXは同じ重さで、天秤糸2Hが連結して天秤状態にしてある、アングル構成材の最前部に位置する外輪溝付きリングSKが吊り下げる装着用具Uと外輪溝付きリング2SKが吊り下げる可動水槽は天秤糸1Hが連結して天秤状態にあり、装着用具Uを着用する被介護者は可動水槽VXに入れた水の重量分だけ天秤糸1Hに吊り上げられる。
【００１４】
矢倉の後方の床YY上には固定水槽Vが設置していて、固定水槽V内の揚水ポンプPから可動水槽VXに送水し、この可動水槽VXと天秤糸1Hで連結する装着用具を着た車椅子の被介護者が立ち上がる事のできる水量は介護者が被介護者を介護する時に脇の下に両手を差し入れて持ち上げるように立たせる力と同じであり、この可動水槽VX内の水量を入れた状態で被介護者は自身の両足の筋力で立ったり座ったりの屈伸運動ができる。
【００１５】
被介護者の両足先に天秤平角棒を配置し、この天秤平角棒は鉄製の床板YGで取り付け取り外しが自在であるマグネット支点台Gに支えられて天秤になるシーソーのように置いてあり、2本の天秤平角棒Dの両端には重しEWと二重底の靴Fを履いた被介護者の両足を載せておりこの2本の天秤平角棒Dはマグネット支点台Gを支点に重しEWと二重底の靴を履いた足が重しEWの補助でシーソーのように両足が足踏みする。
【００１６】
中枠YWの2本の柱には胸の高さで平角管2Yを固定していて、天秤平角棒Dのー端に載せる重しEWに隣接して取り付けるリールDRの糸TBWは平角管2Yに固定する滑車付きボルト取り付け台Sに取り付ける滑車付きのボルトSSに糸TBNをからめてから、その糸TBWを被介護者の膝関節に巻いたベルトTBに接続し、糸TBWのリールDRをきつく巻いて糸を張る事で足首や膝がくねらずに足踏みできるようになる。
【００１７】
リールDRから足の裏までの天秤平角棒Dの長さをマグネット支点台Gが支えて、足の重さと重しEGの重さを天秤平角棒Dはシーソーのようになり、この天秤平角棒Dの両端を中枠YWの平角管2Yに固定した滑車付きのボルトSSが糸TBWで吊り下げて輪のように連動し、足の裏から膝関節までの足の長さを輪の一部分のようにして天秤平角棒Dのシーソーのように動き、重しEGの重さが足の脚力を補助して、膝関節は吊り上がり足の裏は押し上げられる、患者が天秤となる可動水槽VXで立った状態で、天秤平角棒Dの重しEGの重さが天秤になり患者自身の脚力で足を上げ下げし、シーソーのように両足で足踏みのリハビリができる足腰の筋力測定機。
【符号の説明】
【００１８】
XW      前枠
YW      中枠
ZW      後枠
3XA      各枠組みの上辺にのせる補強アングル
N        柱の上端内と下端内に差し入れる連結金物
NA      平角管の内側に差し込む金物のー部分
1NA      ボルト穴
KP      柱の上にかぶせるキャップ
K        中枠で中段の平角管と柱の接続金物
KA      中枠で中段の接続金物の差込部分
M        中枠の柱の上端と下端の内径に差し込む接続金物
MA      平角管内に差し込む接続金物の差込部分
EE      電動ウオーカーのスイッチ
FE      揚水ポンプと可動水槽の排水スイッチ
1A      スロープの付いた平角管
1AA    スロープの付いた平角管
2Ｘ      前枠の柱
3Ｘ      前枠の上辺の平角管
2Z      後枠の柱
1Y      中枠下辺の平角管
2Y      中枠の中段の平角管
3Y      中枠の上辺の平角管
1Z      後枠の下辺の平角管
2Z      後枠の柱
3Z      後枠の上辺の平角管
1B      前枠と中枠を下辺でつなぐ平角管
2B      前枠と中枠を上辺でつなぐ平角管
1C      中枠と後枠を下辺でつなぐ平角管
2C      中枠と後枠を上辺でつなぐ平角管
BE      ルームウオーカーのベルト
D        天秤平角棒
GA      マグネット支点台の支点部分で天秤平角棒に取り付ける部品金物
GAT    マグネット支点台の支点ピン
GAS    ボルト
GH      マグネット支点台のスイッチ
G        マグネット支点台
1GA    ボルト
1H      可動水槽と装着用具をつなぐ糸
HH      圧縮コイルバネ受け板
HR      圧縮コイルバネ
HW      糸を団子結びにして溶着したかたまり
RBS      糸接続ナツト
RB      糸接続ボルト
L        アングル
1L      ボルト
RW      金属の重し
V        固定水槽
YY      床板
DG      ゴム板
DKB    ベアリング
DKC    両端に滑車を固定した心棒
DKP    ハンドル
DD      可動水槽の置き台
DKY      溶接部分
DKP      溶接部分
1LS      ハンドルのネジ部分
2LS      ネジ穴
3LS      ハンドル止め部品
DKL      置き台の補強アングル
4H        可動水槽が上下する長さの糸
3H        ストッパーの糸
HV        鋼球
1VSA      ストッパーの糸が通過する穴
2H        可動水槽と金属の重しをつなぐ糸
2Q        排水電磁弁
1Q        排水電磁弁のホース
P          揚水ポンプ
1P        揚水ポンプのホース
2P        送水ホース接続金物
VXP      水位目盛り管
VXM      目盛り
VX        可動水槽
TBW      天秤糸
F          二重底の靴
FB        マジックテープ（登録商標）
DS        二重底の靴穴に差し入れる平角棒の先端部分     
SFB      二重底の靴先に取り付けたベルト
DDS      二重底の靴穴に差し入れる平角棒の先端部分の一部
1DS      ネジ穴
DWM      天秤平角棒の重し受け部分
DW        天秤平角棒の重し受けの柄
1DW      ネジ穴
EB        重し受けの中心のボルト
DWG      ゴム板
1DWG      ビス穴
EW        金属の重し
DR        リール
SK        前枠上の外輪溝付きリング
2SK      後枠上の外輪溝付きリング
3SK      後枠上の外輪溝付きリング
4SK      アングルの後端部分の外輪溝付きリング
S          台形状の滑車付きのボルト取り付け台
SA        滑車付きのボルト取り付け台の裏合わせ板
2SN      ボルト穴
1SB      滑車付きのボルト取り付け用のナツト
SS        滑車付きのボルトのボルト部分
SSK      滑車付きのボルトの滑車部分
SSB      滑車付きのボルトのベアリング部分
SSE      滑車付きのボルトのボルト部分
【要約】
【課題】
従来、車椅子の人など足腰の筋力が低下した人のリハビリや筋力を測定する器械が少ない。
【解決手段】
車椅子のままリハビリ機に載りあがり、介護者は天秤平角棒Dで先端のリハビリ専用二重底運動靴Fをはかせその靴と対象位置で先端にはリールDRと重しEWがありそのリールの糸TBWは上にある滑車SSｋをからめて被介護者の膝関節のベルトTBに結ばれてあり糸TBWと天秤平角棒Dと足を輪のように連続してつなぎ被介護者を吊り下げ用水槽VXで吊り上げながら立たせ連続した輪の重しEWで被介護者自身が自身の脚力で足踏み出来る様にした。
【選択図】図３【図１】
0004829371.tif 000002
【図２】
0004829371.tif 000003
【図３】
0004829371.tif 000004
【図４】
0004829371.tif 000005
【図５】
0004829371.tif 000006
【図６】
0004829371.tif 000007
【図７】
0004829371.tif 000008
【図８】
0004829371.tif 000009
【図９】
0004829371.tif 000010
【図１０】
0004829371.tif 000011
【図１１】
0004829371.tif 000012
【図１２】
0004829371.tif 000013
【図１３】
0004829371.tif 000014
【図１４】
0004829371.tif 000015